(57)【要約】【課題】遊技機島の島上部における最適な位置に、マチに規制されることなく搬送樋を島長手方向に傾斜して延びる状態に簡単かつ確実に取り付けることができ、取付位置を調整することも容易であり、しかも簡単に取り外すこともできる遊技機島の搬送樋取付構造を提供する。【解決手段】島上部のフレーム構造１０ａの一部を成す一対の横設フレーム１４の間にステー部材４１を架け渡し、ステー部材４１の下方より互いに平行に垂下する一対の吊り部材４３を島上部内に配置させ、搬送樋３０の途中を載置した状態で固定する接続部材５０を、各吊り部材４３の間に着脱可能に架設する。接続部材５０を搬送樋３０と共に各吊り部材４３の間に架設するには、接続部材５０の両側にある係合突起５２を、各吊り部材４３の一端縁に沿って上下に並ぶ複数の被係合溝４６のうち所望の高さ位置にある被係合溝４６に掛け止めれば良い。【選択図】図１
2004321263.tif 000002
【特許請求の範囲】
【請求項１】
複数の遊技機を列設して成る遊技機島において、遊技媒体を流下させる搬送樋を、各遊技機上方の島上部で島長手方向に傾斜して延びる状態に取り付け支持するための搬送樋取付構造において、
前記島上部のフレーム構造の一部として島長手方向に亘り互いに平行に延びる一対の横設フレームの間に架け渡すステー部材と、
前記ステー部材に互いに平行に垂下する状態に取り付ける一対の吊り部材と、
前記各吊り部材の間に着脱可能に架設して、前記搬送樋の途中を載置した状態で固定する接続部材とを有し、
前記接続部材の両側端に、それぞれ側方に突出する係合突起を設ける一方、前記各吊り部材の上下に延びる一端縁に沿って、前記係合突起をそれぞれ着脱可能に掛け止める複数の被係合溝を連設したことを特徴とする遊技機島の搬送樋取付構造。
【請求項２】
前記接続部材の両側端にある前記各係合突起を、前記各吊り部材の何れかの前記被係合溝にそれぞれ掛け止めた際、前記接続部材は前記各係合突起を回転中心として前記各吊り部材の間に揺動可能に支持されることを特徴とする請求項１記載の遊技機島の搬送樋取付構造。
【請求項３】
前記接続部材の両側端にある前記各係合突起を、前記各吊り部材の何れかの前記被係合溝にそれぞれ掛け止めた箇所にて、前記接続部材上に載置した前記搬送樋の途中に上側より架け渡した状態で、前記各係合突起に両端を係合させる押さえ込み部材をさらに有することを特徴とする請求項１または２記載の遊技機島の搬送樋取付構造。
【請求項４】
前記ステー部材を、前記各横設フレームの間に対して、島長手方向に摺動可能に架け渡したことを特徴とする請求項１，２または３記載の遊技機島の搬送樋取付構造。
【請求項５】
前記各吊り部材を、互いに平行に垂下する状態で上下方向に移動可能に前記ステー部材に取り付けたことを特徴とする請求項１，２，３または４記載の遊技機島の搬送樋取付構造。
【請求項６】
前記各吊り部材を、互いに平行に垂下する状態で互いに近接ないし離隔可能に前記ステー部材に取り付けたことを特徴とする請求項１，２，３，４または５記載の遊技機島の搬送樋取付構造。
【請求項７】
前記接続部材は、前記搬送樋の途中に対して該搬送樋の長手方向に相対的に位置調整可能に固定できることを特徴とする請求項１，２，３，４，５または６記載の遊技機島の搬送樋取付構造。
【請求項８】
前記接続部材に固定する前記搬送樋の途中は、長手方向につなげる各搬送樋の端部同士を重ね合わせたつなぎ箇所であることを特徴とする請求項７記載の遊技機島の搬送樋取付構造。
【請求項９】
前記接続部材を、前記各吊り部材の間で上下に並ぶように複数架設し、
前記接続部材毎に、前記搬送樋を上下複数段に固定することを特徴とする請求項１，２，３，４，５，６，７または８記載の遊技機島の搬送樋取付構造。
【請求項１０】
前記複数の搬送樋は、島上部に設けられた上部タンクから供給される遊技媒体を前記各遊技機に補給するための補給樋と、前記上部タンクから供給される遊技媒体を島下部に設けられた下部タンクに戻すためのタンク用樋とを含むことを特徴とする請求項９記載の遊技機島の搬送樋取付構造。
【発明の詳細な説明】
【０００１】
【発明の属する技術分野】
本発明は、複数の遊技機を列設して成る遊技機島において、遊技媒体を流下させる搬送樋を、各遊技機上方の島上部で島長手方向に傾斜して延びる状態に取り付け支持するための搬送樋取付構造に関する。
【０００２】
【従来の技術】
従来、遊技機島内で搬送樋を固定するには、遊技機島のフレーム構造を成す島柱に取り付ける方式と、同じくフレーム構造を成す島木に取り付ける方式とがある。前者の場合、島柱はフロア上に一対ずつ対向する状態で島長手方向に並べて立設されており、それぞれ対を成す島柱間に枠状の固定金具を予め位置決めしてリベット等で固定しておき、この固定金具の枠内に、島長手方向につなげる各搬送樋の端部同士を重ね合わせたつなぎ箇所を挿入して固定していた。
【０００３】
後者の場合、島木は一対として前記各島柱の上端間に渡って島長手方向に延びるように組み付けられており、この島木間にステーを架け渡して、ステーには一対の吊り金具を互いに平行に垂下するように取り付けておき、各吊り金具間の適当な上下位置で、島長手方向につなげる各搬送樋の端部同士を重ね合わせたつなぎ箇所とこの両側の吊り金具とに、それぞれ一本の連結軸を貫通させて固定していた。
【０００４】
また、特許文献１に開示されたような搬送樋の取付構造も知られている。すなわち、島を構成する少なくとも１対の膳板ユニットが所定間隔で対向設置され、各膳板ユニット間には、両側に膳板ユニットの対向面と平行する側板を有すると共に、各側板の所定位置に横長溝部を有する搬送樋が配置され、前記各膳板ユニットの対向面には、内部溝の幅よりも狭い幅の開口溝を有する複数のレール部材が垂直に取り付けてあり、前記搬送樋は、前記内部溝と前記横長溝部に挿着して締め付けるボルトとナットを介して前記膳板ユニット間に取り付けられていた。
【０００５】
【特許文献１】
特開２００２−１２６３２１号公報
【０００６】
【発明が解決しようとする課題】
しかしながら、前述したような従来の搬送樋の取付構造では、前者の技術の場合、島長手方向に一対ずつ並ぶ島柱間の間隔（以下「マチ」とする。）に各搬送樋の傾斜分も含めた長さを合わせる必要があり、前記マチの相違に対応できるように、様々な長さの搬送樋を予め用意しなければならず、相当数の搬送樋の在庫を必要とするという問題があった。
【０００７】
また、搬送樋の取り付けに際しては、前記固定金具の枠内に、各搬送樋の端部同士を重ね合わせたつなぎ箇所を挿入して固定しなければならず、狭いスペースでの取り付け作業が面倒であり施工に多くの時間を要するという問題があり、さらに、搬送樋の保守・点検に際しては、搬送樋ないし固定金具を取り外すためにリベット等による固定を逐次外さなければならず、保守・点検後の再度の取り付けも面倒で手間がかかるという問題があった。
【０００８】
後者の技術の場合、前記マチに規制されることなく、予め規定された長さの搬送樋の端部同士のつなぎ箇所に合わせて、前記ステーを島長手方向に動かし位置決めしてから固定することができるが、搬送樋の取り付けに際しては、各吊り金具間に搬送樋のつなぎ箇所を仮止めするような手段はなく、適当な位置に手で保持した状態で、各吊り金具や搬送樋の両側に連結軸を貫通させて固定する作業が非常に難しく、施工にいっそう多くの時間を要し、搬送樋の保守・点検に際しても、なおさら搬送樋の取り外しや再度の取り付けが困難という問題があった。
【０００９】
さらに、特許文献１に開示された技術の場合であっても、前記各膳板ユニット間に搬送樋を取り付けるに際し、搬送樋をレール部材にボルト止めするときに、前記後者の技術と同様に各膳板ユニット間の適当な位置に搬送樋を仮止めするような手段はなく、適当な位置に手で保持しながらのボルト止め作業は非常に難しく、施工に多くの時間を要し、搬送樋の保守・点検に際しても、なおさら搬送樋の取り外しや再度の取り付けが困難という問題があった。
【００１０】
本発明は、以上のような従来技術の有する問題点に着目してなされたもので、遊技機島の島上部における最適な位置に、マチに規制されることなく搬送樋を島長手方向に傾斜して延びる状態に簡単かつ確実に取り付けることができ、取付位置を調整することも容易であり、しかも簡単に取り外すこともできる遊技機島の搬送樋取付構造を提供することを目的としている。
【００１１】
【課題を解決するための手段】
前述した目的を達成するための本発明の要旨とするところは、次の各項の発明に存する。
［１］複数の遊技機（１１）を列設して成る遊技機島（１０）において、遊技媒体を流下させる搬送樋（３０）を、各遊技機（１１）上方の島上部で島長手方向に傾斜して延びる状態に取り付け支持するための搬送樋取付構造において、
前記島上部のフレーム構造（１０ａ）の一部として島長手方向に亘り互いに平行に延びる一対の横設フレーム（１４）の間に架け渡すステー部材（４１）と、
前記ステー部材（４１）に互いに平行に垂下する状態に取り付ける一対の吊り部材（４３）と、
前記各吊り部材（４３）の間に着脱可能に架設して、前記搬送樋（３０）の途中を載置した状態で固定する接続部材（５０）とを有し、
前記接続部材（５０）の両側端に、それぞれ側方に突出する係合突起（５２）を設ける一方、前記各吊り部材（４３）の上下に延びる一端縁に沿って、前記係合突起（５２）をそれぞれ着脱可能に掛け止める複数の被係合溝（４６）を連設したことを特徴とする遊技機島（１０）の搬送樋取付構造。
【００１２】
［２］前記接続部材（５０）の両側端にある前記各係合突起（５２）を、前記各吊り部材（４３）の何れかの前記被係合溝（４６）にそれぞれ掛け止めた際、前記接続部材（５０）は前記各係合突起（５２）を回転中心として前記各吊り部材（４３）の間に揺動可能に支持されることを特徴とする［１］記載の遊技機島（１０）の搬送樋取付構造。
【００１３】
［３］前記接続部材（５０）の両側端にある前記各係合突起（５２）を、前記各吊り部材（４３）の何れかの前記被係合溝（４６）にそれぞれ掛け止めた箇所にて、前記接続部材（５０）上に載置した前記搬送樋（３０）の途中に上側より架け渡した状態で、前記各係合突起（５２）に両端を係合させる押さえ込み部材（５５）をさらに有することを特徴とする［１］または［２］記載の遊技機島（１０）の搬送樋取付構造。
【００１４】
［４］前記ステー部材（４１）を、前記各横設フレーム（１４）の間に対して、島長手方向に摺動可能に架け渡したことを特徴とする［１］，［２］または［３］記載の遊技機島（１０）の搬送樋取付構造。
【００１５】
［５］前記各吊り部材（４３）を、互いに平行に垂下する状態で上下方向に移動可能に前記ステー部材（４１）に取り付けたことを特徴とする［１］，［２］，［３］または［４］記載の遊技機島（１０）の搬送樋取付構造。
【００１６】
［６］前記各吊り部材（４３）を、互いに平行に垂下する状態で互いに近接ないし離隔可能に前記ステー部材（４１）に取り付けたことを特徴とする［１］，［２］，［３］，［４］または［５］記載の遊技機島（１０）の搬送樋取付構造。
【００１７】
［７］前記接続部材（５０）は、前記搬送樋（３０）の途中に対して該搬送樋（３０）の長手方向に相対的に位置調整可能に固定できることを特徴とする［１］，［２］，［３］，［４］，［５］または［６］記載の遊技機島（１０）の搬送樋取付構造。
【００１８】
［８］前記接続部材（５０）に固定する前記搬送樋（３０）の途中は、長手方向につなげる各搬送樋（３０）の端部同士を重ね合わせたつなぎ箇所であることを特徴とする［７］記載の遊技機島（１０）の搬送樋取付構造。
【００１９】
［９］前記接続部材（５０）を、前記各吊り部材（４３）の間で上下に並ぶように複数架設し、
前記接続部材（５０）毎に、前記搬送樋（３０）を上下複数段に固定することを特徴とする［１］，［２］，［３］，［４］，［５］，［６］，［７］または［８］記載の遊技機島（１０）の搬送樋取付構造。
【００２０】
［１０］前記複数の搬送樋（３０）は、島上部に設けられた上部タンクから供給される遊技媒体を前記各遊技機（１１）に補給するための補給樋（３０Ａ）と、前記上部タンクから供給される遊技媒体を島下部に設けられた下部タンクに戻すためのタンク用樋（３０Ｂ）とを含むことを特徴とする［９］記載の遊技機島（１０）の搬送樋取付構造。
【００２１】
前記本発明は次のように作用する。
前記［１］記載の搬送樋取付構造によれば、先ず、島上部のフレーム構造（１０ａ）の一部を成す一対の横設フレーム（１４）の間にステー部材（４１）を架け渡して、該ステー部材（４１）の下方より互いに平行に垂下する一対の吊り部材（４３）を島上部内に配置させる。次に、搬送樋（３０）の途中を載置した状態に固定する接続部材（５０）を、各吊り部材（４３）の間に着脱可能に架設すれば搬送樋（３０）の取り付けは完了する。
【００２２】
接続部材（５０）を搬送樋（３０）と共に各吊り部材（４３）の間に架設するには、各吊り部材（４３）の間の空いたスペースにその下方より接続部材（５０）等を持ち上げるようにして、接続部材（５０）の両側にある係合突起（５２）を、各吊り部材（４３）の一端縁に沿って上下に並ぶ複数の被係合溝（４６）のうち所望の高さ位置にある被係合溝（４６）に掛け止めるだけで良い。
【００２３】
ここで接続部材（５０）の係合突起（５２）は、各吊り部材（４３）の被係合溝（４６）に対して着脱自在であり、掛け止めることも取り外すことも簡単であるから、搬送樋（３０）の傾斜角の設定に伴う上下方向への取付位置の調整や、搬送樋（３０）の保守・点検に伴う搬送樋（３０）の取り外しや再度の取り付けも容易に行うことができる。
【００２４】
前記［２］記載の搬送樋取付構造によれば、接続部材（５０）の係合突起（５２）を各吊り部材（４３）の何れかの被係合溝（４６）に掛け止めた際、接続部材（５０）は各係合突起（５２）を回転中心として各吊り部材（４３）の間に揺動可能に支持されるから、搬送樋（３０）の一端側を接続部材（５０）を介して各吊り部材（４３）の間に支持すれば、かかる搬送樋（３０）の一端側の支持箇所を回転中心として、搬送樋（３０）の他端側を容易に所望の高さ位置に揺動させることができる。
【００２５】
前記［３］記載の搬送樋取付構造によれば、接続部材（５０）の係合突起（５２）を各吊り部材（４３）の被係合溝（４６）に掛け止めた箇所で、押さえ込み部材（５５）を、接続部材（５０）上に載置した搬送樋（３０）の途中に上側より架け渡して、該押さえ込み部材（５５）の両端を前記各係合突起（５２）に係合させることにより、搬送樋（３０）の途中を接続部材（５０）と押さえ込み部材（５５）とで上下から挟持する状態となり、不用意に係合突起（５２）が被係合溝（４６）から外れないように確実に保持することができる。
【００２６】
前記［４］記載の搬送樋取付構造によれば、ステー部材（４１）は、各横設フレーム（１４）の間に対して島長手方向に摺動可能に架け渡されるので、ステー部材（４１）を島長手方向に自由に摺動させて、所望の位置に位置決めしてから固定することができる。
【００２７】
前記［５］記載の搬送樋取付構造によれば、各吊り部材（４３）を、ステー部材（４１）に対して互いに平行に垂下する状態で上下方向に移動させることができるので、各吊り部材（４３）の下端位置を任意に調整することができる。
【００２８】
前記［６］記載の搬送樋取付構造によれば、各吊り部材（４３）を、互いに平行に垂下する状態で互いに近接ないし離隔可能にステー部材（４１）に取り付けることで、様々な搬送樋（３０）の横幅に適宜対応させることができる。
【００２９】
前記［７］記載の搬送樋取付構造によれば、接続部材（５０）は、搬送樋（３０）の途中に対して該搬送樋（３０）の長手方向に相対的に位置調整可能に固定できるので、搬送樋（３０）側にある固定箇所の多少の位置ずれにも十分に対応することができ、ステー部材（４１）の島長手方向における位置を調整し直す必要はない。
【００３０】
前記［８］記載の搬送樋取付構造によれば、接続部材（５０）に固定する搬送樋（３０）の途中を、長手方向につなげる各搬送樋（３０）の端部同士を重ね合わせたつなぎ箇所とすることで、接続部材（５０）に対する搬送樋（３０）の固定と同時に各搬送樋（３０）の端部同士を連結することが可能となる。
【００３１】
また、前記各吊り部材（４３）の間に架設する接続部材（５０）は１つだけに限定されるものではなく、前記［９］記載のように、接続部材（５０）を各吊り部材（４３）の間に上下に複数架設すれば、各吊り部材（４３）毎に搬送樋（３０）を上下複数段に固定することができる。
【００３２】
ここで複数の搬送樋（３０）には、例えば前記［１０］記載のように、補給樋（３０Ａ）とタンク用樋（３０Ｂ）とを含むようにすれば良く、補給樋（３０Ａ）では、島上部にある上部タンクから供給される遊技媒体が流下して各遊技機（１１）に補給され、タンク用樋（３０Ｂ）では、同じく上部タンクから供給される遊技媒体が流下して、途中で各遊技機（１１）に補給されることなく、島下部にある下部タンクに戻すようにすれば、上部タンク内の遊技媒体を下部タンクに確実に戻すようにし、下部タンク内の遊技媒体を適量な状態に維持することができる。
【００３３】
【発明の実施の形態】
以下、図面に基づき本発明を代表する一の実施の形態を説明する。
図１〜図９は本発明の一実施の形態を示している。
図２に示すように、本実施の形態に係る遊技機島１０は、複数の遊技機１１を列設して成り、背中合わせに遊技機１１を組み付けるフレーム構造１０ａは、遊技場のフロア上に構築される。隣接する遊技機１１の間の隙間には台間玉貸機１２が配されている。ここで遊技機１０とは、ハンドルの回転操作により遊技盤面上にパチンコ玉（遊技媒体）を打ち出して入賞を楽しむパチンコ機である。
【００３４】
図１に示すように、フレーム構造１０ａは、フロア上に一対ずつ対向する状態で島長手方向に並べて立設する島柱１３と、各島柱１３の上端間に渡って島長手方向に互いに平行に延びるように組み付ける一対の島木（横設フレーム）１４等から構築される。かかるフレーム構造１０ａの中段付近に、遊技機１１および台間玉貸機１２は列設される。
【００３５】
図２に示すように、遊技機島１０の島上部の略中央には上部タンク２０が配され、遊技機島１０の島下部には下部タンク７０が配されている。遊技機島１０の中央部には、下部タンク７０内のパチンコ玉を研磨しながら上部タンク２０に揚送するための研磨揚送装置８０が立設されている。上部タンク２０には、研磨揚送装置８０の上端部から排出されたパチンコ玉が受け入れられるようになっている。
【００３６】
遊技機島１０の島上部には、上部タンク２０内のパチンコ玉を流下させる搬送樋３０として、補給樋３０Ａとタンク用樋３０Ｂとが上段と下段の位置関係になるように配されている。補給樋３０Ａは、上部タンク２０から供給されるパチンコ玉を各遊技機１１に補給するための搬送樋３０であり、上部タンク２０から各遊技機１１や台間玉貸機１２の上方を通り、遊技機島１０の島端に向かってなだらかに下方に傾斜している。
【００３７】
タンク用樋３０Ｂは、上部タンク２０から供給されるパチンコ玉を下部タンク７０に戻すための搬送樋３０であり、前記補給樋３０Ａと同じく、上部タンク２０から各遊技機１１や台間玉貸機１２の上方を通り、遊技機島１０の島端に向かってなだらかに下方に傾斜している。以下、「搬送樋３０」とは、補給樋３０Ａとタンク用樋３０Ｂの両方を含む意とする。
【００３８】
また、補給樋３０Ａとタンク用樋３０Ｂの上流端側は、分岐部材６０を介して上部タンク２０に連通接続されている。分岐部材６０は、上部タンク２０から排出されたパチンコ玉の流れを分岐することで、パチンコ玉が補給樋３０Ａおよびタンク用樋３０Ｂへ別々に供給されるように構成されている。
【００３９】
このような搬送樋３０は、図１に示すように、本発明の根幹を成す搬送樋取付構造４０によって、島上部内で島長手方向に傾斜して延びるように支持される。搬送樋取付構造４０は、前記フレーム構造１０ａの一部を成す一対の島木１４の間に架け渡すステー部材４１と、該ステー部材４１に互いに平行に垂下する状態に取り付ける一対の吊り部材４３と、各吊り部材４３の間に着脱可能に架設して、搬送樋３０の途中を載置した状態で固定する接続部材５０と、さらに必要に応じて組み合わせる押さえ込み部材５５とから成る。
【００４０】
図３〜図６に示すように、ステー部材４１は溝形断面形状に形成されており、各島木１４の間に架け渡される長さに設定されている。ステー部材４１は、各島木１４の間で島長手方向に摺動可能に架け渡されるので、島長手方向に位置調整することができ、位置決めされた後はネジ等で島木１４に固定すると良い。ステー部材４１の両側には、それぞれ長手方向に延びる一対の長溝４２が穿設されており、各長溝４２には、それぞれ吊り部材４３の上端より延びるネジ軸４４が貫通した状態で取り付けられている。
【００４１】
各吊り部材４３は、所定幅で上下方向に延びる平板形状に形成されており、略直角に折曲された上端には、上下方向に真っ直ぐ延びる前記ネジ軸４４の下端が一体に固結されている。このネジ軸４４には、前記ステー部材４１の長溝４２を挿通不能な大きさのナット４５が螺合しており、ナット４５を正逆方向に回転させてネジ軸４４の軸方向に移動させれば、前記ステー部材４１に対する各吊り部材４３の上下位置を調整できるようになっている。
【００４２】
また、各ネジ軸４４は、それぞれ前記各長溝４２に沿って案内されるため、各吊り部材４３は、互いに平行に垂下する状態で互いに近接ないし離隔可能にステー部材４１に取り付けられる。もちろん、各吊り部材４３の間を一定の距離に保ったままで、各吊り部材４３を一緒に島長手方向と直交する島幅方向へ移動させれば、前記ステー部材４１に対する各吊り部材４３の水平位置も調整できるようになっている。
【００４３】
各吊り部材４３の上下に延びる一端縁には、上下に等間隔に並ぶ複数の被係合溝４６が連設されている。各被係合溝４６は、略水平に切り込まれてから下方へ略直角に曲がる鉤状に穿設されている。各被係合溝４６は、次述する接続部材５０の係合突起５２を着脱可能に掛け止めるための部位である。
【００４４】
接続部材５０は、搬送樋３０の下側に外嵌する大きさの溝形断面形状に形成されている。接続部材５０は、前記各吊り部材４３の間に着脱可能に架設され、搬送樋３０の途中を載置した状態で固定するための部材である。接続部材５０の両側端５１は、それぞれ略直角に上方に折曲されており、両側端５１には、それぞれ側方に突出する係合突起５２が設けられている。
【００４５】
係合突起５２は、前記被係合溝４６に移動可能に案内される外径のネジ状に形成されており、その先端には、前記被係合溝４６を挿通不能な大きさのナット５３が螺合している。係合突起５２は、何れかの被係合溝４６に対して着脱可能に掛け止めるための部位であり、接続部材５０の両側端５１にある各係合突起５２を、各吊り部材４３の何れかの被係合溝４６にそれぞれ掛け止めた際、接続部材は各係合突起５２を回転中心として、各吊り部材４３の間に揺動可能に支持される。
【００４６】
接続部材５０は、各吊り部材４３の間で上下に並ぶように２つ架設されており、上段の接続部材５０には前記補給樋３０Ａが固定され、下段の接続部材５０には前記タンク用樋３０Ｂが固定される。また、搬送樋取付構造４０は、搬送樋３０の途中一箇所だけを支持するが、搬送樋取付構造４０は、島長手方向に所定間隔おきに複数配されており、各搬送樋取付構造４０により搬送樋３０を途中の複数箇所をそれぞれ支持することで、搬送樋３０を上部タンク２０から遊技機島１０の島端に向かってなだらかに下方に傾斜する状態に配設する。
【００４７】
また、接続部材５０は、搬送樋３０の途中に対して、該搬送樋３０の長手方向に相対的に位置調整可能に固定できるようになっている。すなわち、搬送樋３０の両側端５１の上側には、それぞれ前後方向（島長手方向）に並んで延びる一対のネジ止め溝５４が穿設されており、これらのネジ止め溝５４に重なる位置にて、ネジ止め溝５４の長さ分だけ位置調整可能に搬送樋３０の途中をネジ３３で固定できるようになっている。
【００４８】
ここで接続部材５０に固定する前記搬送樋３０の途中は、長手方向につなげる各搬送樋３０の端部同士を重ね合わせたつなぎ箇所であり、搬送樋３０の一端部３１の両側壁には、それぞれ前記各ネジ止め溝５４に対応して一対のネジ止め孔（図３中で一対のナット３４が配置された箇所）が穿設されており、この一端部３１の下側に重ね合わせる他の搬送樋３０の他端部３２の両側壁には、それぞれネジ３３を任意の位置で固定できるように前後方向（島長手方向）に比較的長く延びた長ネジ止め溝３５が穿設されている。
【００４９】
さらに、必要に応じて組み合わされる押さえ込み部材５５は、前記搬送樋３０の幅より多少長く細幅状に延びた上端部の両端を、それぞれ略直角に下方に折曲して形成されており、両側端５６には、それぞれ側方に開口する係止溝５７が穿設されている。押さえ込み部材５５は、前記接続部材５０上に載置した前記搬送樋３０の途中を上側から囲むように保持するための部材であり、前記搬送樋３０の途中に上側より架け渡した状態で、前記接続部材５０の各係合突起５２に両側端５６の係止溝５７を係合させることで取り付けられるようになっている。
【００５０】
また、前記下部タンク７０は、研磨揚送装置８０に寄って配されているメインタンク７１と遊技機島１０の端に寄って配されているサブタンク７５とから成る。サブタンク７５内のパチンコ玉をメインタンク７１に搬送するための循環リフト７４が設けられ、また、メインタンク７１内のパチンコ玉を研磨揚送装置８０に供給するための供給樋７２が設けられている。
【００５１】
メインタンク７１は、その床面が研磨揚送装置８０に向かってなだらかに下方に傾斜しており、メインタンク７１内のパチンコ玉が傾斜に従って玉排出部２２に向かって転がるように構成されている。メインタンク７１には、例えば遊技機島１０の端部に配設された計数機（図示省略）や、各遊技機１１からパチンコ玉が送られる。これに対して、サブタンク７５は、その床面がメインタンク７１と同様に所定の傾斜角度で下流側に向かって下方に傾斜している。
【００５２】
前記遊技機島１０では、上部タンク２０内のパチンコ玉は、前記補給樋３０Ａを流下して各遊技機１１に補給され、各遊技機１１で用いられたパチンコ玉（アウト球）はアウト球レール８０を流れ、図２に示すように、下部タンク７０に沿うように配されたアウト球通路７１ａを通り、研磨揚送装置８０によって上部タンク２０に戻される。また、上部タンク２０内のパチンコ玉は、前記タンク用樋３０Ｂを流下して各遊技機１１に補給されることなく下部タンク７０に戻され、同じく下部タンク７０から研磨揚送装置８０によって上部タンク２０に戻されるように設定されている。
【００５３】
次に作用を説明する。
図１に示すように遊技機島１０を構築する際、島上部に搬送樋３０を組み付けるには、先ず、フレーム構造１０ａの一部を成す一対の島木１４の間にステー部材４１を架け渡して、該ステー部材４１の下方より互いに平行に垂下する一対の吊り部材４３を島上部内に配置させる。このときステー部材４１は、各島木１４の間で島長手方向に摺動可能に架け渡されるので、島柱１３の立設位置とは関係なくステー部材４１を島長手方向に自由に摺動させて、所望の位置に位置決めしてからネジ等で固定することができる。
【００５４】
次に、搬送樋３０の途中を載置した状態に固定する接続部材５０を、各吊り部材４３の間に着脱可能に架設する。図７に示すように、各吊り部材４３の間の空いたスペースに、その下方より接続部材５０を予め外嵌させた搬送樋３０の端部を持ち上げるようにして、接続部材５０の両側にある係合突起５２を、各吊り部材４３の一端縁に沿って上下に並ぶ複数の被係合溝４６のうち、所望の高さ位置にある被係合溝４６に掛け止めるだけで良い。
【００５５】
このとき、接続部材５０の係合突起５２は、各吊り部材４３の被係合溝４６に対して着脱自在であり、掛け止めることも取り外すことも簡単である。従って、搬送樋３０の傾斜角の設定に伴う上下方向への取付位置の調整や、搬送樋３０の保守・点検に伴う搬送樋３０の取り外しや再度の取り付けも容易に行うことができる。
【００５６】
また、接続部材５０の係合突起５２を各吊り部材４３の何れかの被係合溝４６に掛け止めた際、接続部材５０は各係合突起５２を回転中心として各吊り部材４３の間に揺動可能に支持されるから、搬送樋３０の一端側を接続部材５０を介して各吊り部材４３の間に支持すれば、かかる搬送樋３０の一端側の支持箇所を回転中心として、搬送樋３０の他端側を容易に所望の高さ位置に揺動させることができる。なお、係合突起５２に螺合させたナット５３を締めることで、接続部材５０を各吊り部材４３に対して回動不能に固定することもできる。
【００５７】
また、各吊り部材４３は、そのネジ軸４４に螺合させたナット４５を正逆方向に回転させることにより、ステー部材４１に対して上下方向に移動させることができるので、各吊り部材４３の下端位置を任意に調整することができる。かかる各吊り部材４３の上下方向への移動は、各吊り部材４３間に架設した接続部材５０に搬送樋３０の途中を取り付け後でも行うことができる。
【００５８】
さらに、各吊り部材４３のネジ軸４４は、ステー部材４１にある各長溝４２に沿って島幅方向に案内されるため、各吊り部材４３は互いに近接ないし離隔可能であり、様々な搬送樋３０の横幅に適宜対応させることができる。例えば、搬送樋３０の横幅が大きい場合には各吊り部材４３を互いに離隔させる一方、搬送樋３０の横幅が小さい場合には各吊り部材４３を互いに近接させるように調整することができる。
【００５９】
図８に示すように、前記接続部材５０上に固定する搬送樋３０の途中を、長手方向につなげる各搬送樋３０の端部同士を重ね合わせたつなぎ箇所とすることで、接続部材５０に対する搬送樋３０の固定と同時に各搬送樋３０の端部同士を連結することが可能となる。
【００６０】
具体的には、上から順に搬送樋３０の一端部３１、他の搬送樋３０の他端部３２、それに押さえ込み部材５５を重ね合わせた状態で、接続部材５０の側方よりネジ３３（図３参照）を、接続部材５０のネジ止め溝５４、搬送樋３０の他端部３２にある長ネジ止め溝３５、それに搬送樋３０の一端部３１のネジ止め孔に貫通させてナット３４に締結すれば良い。
【００６１】
ここで、接続部材５０のネジ止め溝５４は前後方向（島長手方向）に延びており、搬送樋３０の他端部３２にある長ネジ止め溝３５はさらに長く前後方向（島長手方向）に延びているので、接続部材５０を、搬送樋３０のつなぎ箇所に対して該搬送樋３０の長手方向に相対的に位置調整可能に固定できる。そのため、搬送樋３０側にある固定箇所の多少の位置ずれにも十分に対応することができ、ステー部材４１の島長手方向における位置を調整し直す必要はない。
【００６２】
図８に示すように、タンク用樋３０Ｂの途中であるつなぎ箇所が接続部材５０上から大きくずれるような場合には、押さえ込み部材５５を接続部材５０上に位置するタンク用樋３０Ｂの途中に上側より架け渡した状態で、該押さえ込み部材５５の両側端５６にある係止溝５７を、接続部材５０の各係合突起５２に係合させると良い。それにより、搬送樋３０の途中が接続部材５０と押さえ込み部材５５とで上下から挟持される状態となり、搬送樋３０の一端部３１が、その下側に重なる他の搬送樋３０の他端部３２から浮かないように強固に保持することができる。
【００６３】
さらに図９に示すように、タンク用樋３０Ｂの途中であるつなぎ箇所が接続部材５０上に全く重ならない程ずれるような場合も、押さえ込み部材５５を接続部材５０上に位置するタンク用樋３０Ｂの途中に上側より架け渡した状態で、該押さえ込み部材５５の両側端５６にある係止溝５７を、接続部材５０の各係合突起５２に係合させると良い。それにより、搬送樋３０のつなぎ箇所以外の途中も、接続部材５０と押さえ込み部材５５とで上下から挟持することができ、搬送樋３０のつなぎ箇所以外の途中も、その下側の接続部材５０から浮かないように強固に保持することができる。
【００６４】
また、本実施の形態では、接続部材５０を各吊り部材４３の間に架設する接続部材５０は１つだけではなく、上下２段に補給樋３０Ａとタンク用樋３０Ｂとを配設する関係上、これらに対応させて２つの接続部材５０を架設する。このように、各吊り部材４３の間に架設する接続部材５０は１つだけに限定されるものではなく、接続部材５０を各吊り部材４３の間に上下に複数架設すれば、各接続部材５０毎に前記搬送樋３０を上下複数段に固定することができる。
【００６５】
次に、図２に示す遊技機島１０において、上部タンク２０内のパチンコ玉が補給樋３０Ａおよびタンク用樋３０Ｂにどのように流れていくかについて説明する。上部タンク２０から排出されたパチンコ玉の流れは分岐部材６０によって分岐され、パチンコ玉は、補給樋３０Ａおよびタンク用樋３０Ｂにそれぞれ供給される。
【００６６】
補給樋３０Ａを流下するパチンコ玉は、シュートを介して各遊技機１１および台間玉貸機１２に対してそれぞれ補給され、各遊技機１１で用いられた後に、下部タンク７０（メインタンク７１あるいはサブタンク７５）に戻され、メインタンク７１およびサブタンク７５の傾斜した床面に沿って、研磨揚送装置８０に向かって転動し、供給樋７２を介して研磨揚送装置８０に供給されて、該研磨揚送装置８０により上部タンク２０に揚送される。
【００６７】
補給樋３０Ａ内にパチンコ玉がほとんど無い状態であれば、パチンコ玉は補給樋３０Ａの両端を流れず、補給樋３０Ａの両端にある補給口を通過して、補給樋３０Ａの終端に達してしまうが、パチンコ玉が補給樋３０Ａの終端の方から補給樋３０Ａの始端の方へ満たされていき、やがて、パチンコ玉が補給樋３０Ａの両端を流れるようになって、パチンコ玉が補給口から各遊技機１１に補給されるようになる。すなわち、補給樋３０Ａによって、上部タンク２０内のパチンコ玉を各遊技機１１に確実に補給することができる。
【００６８】
一方、第２循環機構の方に流れたパチンコ玉は、タンク用樋３０Ｂを通って、各遊技機１１に流下せず、各遊技機１１や台間玉貸機１２で用いられることなく、遊技機島１０の端の上部に達してから、下部タンク７０（サブタンク７５）に戻され、サブタンク７５の床面７５ａに沿って、下流側に向かって転動し、サブタンク７５から循環リフト７４で図３および図４に示すアウト球通路７１ａに搬送され、アウト球通路７１ａに沿って、下流側に向かって転動し、供給樋７２を介して研磨揚送装置８０により、上部タンク２０に揚送される。
【００６９】
このとき、パチンコ玉が各遊技機１１へ補給されない状態が継続し、補給樋３０Ａがパチンコ玉で一杯な状態になっても、補給樋３０Ａの状態の影響を受けることなく、上部タンク２０内のパチンコ玉はタンク用樋３０Ｂを流れて、遊技機島１０の端の上部から下部タンク７０に流れるようになる。従って、下部タンク７０内のパチンコ玉が適量になる。
【００７０】
すなわち、タンク用樋３０Ｂによって、上部タンク２０内のパチンコ玉を各遊技機１１に補給することなく下部タンク７０に確実に戻すことができ、下部タンク７０内のパチンコ玉を適量な状態に維持することができる。さらに、パチンコ玉を下部タンク７０から上部タンク２０に確実に揚送することができ、上部タンク２０内のパチンコ玉を適量な状態に維持することもできる。
【００７１】
また、本実施の形態に係る遊技機島１０では、搬送樋３０として補給樋３０Ａとタンク用樋３０Ｂとを、上下２段の関係になるように配したので、補給樋３０Ａと各遊技機１１との間の間隔を広めに確保することができ、補給樋３０Ａから下方あるいは斜め下方に延ばしたホース部材（図示省略）を急激に曲げないで遊技機１１側に接続させることができる。
【００７２】
それにより、補給樋３０Ａからホース部材に通したパチンコ玉を途中で詰まらせないで済み、パチンコ玉を確実に遊技機１１に補給することができる。また、ホース部材の復元力に抗してホース部材を急激に曲げ、その曲がった状態にホース部材を維持しながら遊技機１１側に接続しないで済むので、ホース部材の取り回しを容易にすることができる。
【００７３】
以上、本発明の実施の形態を図面によって説明してきたが、具体的な構成は前述した実施の形態に限られるものではなく、本発明の要旨を逸脱しない範囲における変更や追加があっても本発明に含まれる。例えば、前記接続部材５０の両側端に設けた係合突起５２はボルト状に限られることなく、単なるフック状ないし軸状に形成しても良い。
【００７４】
また、前記各吊り部材４３の一端縁に沿って上下に連設した被係合溝４６の数や間隔、それに形状は、図示したもの限られることはない。また、接続部材５０に固定する搬送樋３０の途中は、長手方向につなげる各搬送樋３０の端部同士を重ね合わせたつなぎ箇所ではなく、１本の搬送樋３０における分け目のない途中であっても良い。
【００７５】
【発明の効果】
本発明に係る遊技機島の搬送樋取付構造によれば、島上部のフレーム構造の一部を成す一対の横設フレームの間にステー部材を架け渡し、該ステー部材より互いに平行に垂下する一対の吊り部材の間に、搬送樋の途中を載置した状態で固定する接続部材を架設するが、前記接続部材の両側端に、それぞれ側方に突出する係合突起を設ける一方、前記各吊り部材の上下に延びる一端縁に沿って、前記係合突起をそれぞれ着脱可能に掛け止める複数の被係合溝を連設したから、接続部材の係合突起は、各吊り部材の被係合溝に対して着脱自在であり、掛け止めることも取り外すことも簡単であり、搬送樋の傾斜角の設定に伴う上下方向への取付位置の調整や、搬送樋の保守・点検も容易に行うことができる。
【００７６】
また、接続部材の係合突起を各吊り部材の何れかの被係合溝に掛け止めた際、接続部材は各係合突起を回転中心として各吊り部材の間に揺動可能に支持されるから、搬送樋の一端側を接続部材を介して各吊り部材の間に支持すれば、かかる搬送樋の一端側の支持箇所を回転中心として、搬送樋の他端側を容易に所望の高さ位置に揺動させることができる。
【００７７】
さらにまた、接続部材の係合突起を各吊り部材の被係合溝に掛け止めた箇所で、押さえ込み部材を、接続部材上に載置した搬送樋の途中に上側より架け渡して、該押さえ込み部材の両端を前記各係合突起に係合させることにより、搬送樋の途中を接続部材と押さえ込み部材とで上下から挟持する状態となり、不用意に係合突起が被係合溝から外れないように確実に保持することができる。
【図面の簡単な説明】
【図１】本発明の一実施の形態に係る遊技機島のフレーム構造を示す斜視図である。
【図２】本発明の一実施の形態に係る遊技機島の内部構成を示す正面図である。
【図３】本発明の一実施の形態に係る遊技機島の搬送樋取付構造を示す斜視図である。
【図４】本発明の一実施の形態に係る遊技機島の搬送樋取付構造を示す側面図である。
【図５】本発明の一実施の形態に係る遊技機島の搬送樋取付構造を示す正面図である。
【図６】本発明の一実施の形態に係る遊技機島の搬送樋取付構造を示す平面図である。
【図７】本発明の一実施の形態に係る遊技機島の搬送樋取付構造の組み付けを説明する斜視図である。
【図８】本発明の一実施の形態に係る遊技機島の搬送樋取付構造の組み付けを説明する斜視図である。
【図９】本発明の一実施の形態に係る遊技機島の搬送樋取付構造の別の組み付けを説明する斜視図である。
【符号の説明】
１０…遊技機島
１０ａ…フレーム構造
１１…遊技機
１２…台間玉貸機
１３…島柱
１４…島木
２０…上部タンク
３０…搬送樋
３０Ａ…補給樋
３０Ｂ…タンク用樋
３１…一端部
３２…他端部
３３…ネジ
３４…ナット
３５…長ネジ止め溝
４０…搬送樋取付構造
４１…ステー部材
４２…長溝
４３…吊り部材
４４…ネジ軸
４５…ナット
４６…被係合溝
５０…接続部材
５１…側端
５２…係合突起
５３…ナット
５４…ネジ止め溝
５５…押さえ込み部材
５６…側端
５７…係止溝
７０…下部タンク
８０…研磨揚送装置
【図１】
2004321263.tif 000003
【図２】
2004321263.tif 000004
【図３】
2004321263.tif 000005
【図４】
2004321263.tif 000006
【図５】
2004321263.tif 000007
【図６】
2004321263.tif 000008
【図７】
2004321263.tif 000009
【図８】
2004321263.tif 000010
【図９】
2004321263.tif 000011